(57)【要約】      （修正有）【課題】使用者が直接インターフェースを製作して、ＩＴ装備とインターフェーシングすることができる注文型インターフェースシステムおよびその操作方法を提供する。【解決手段】使用者が製作した入力インターフェース１１０で複数の操作領域を設定するステップと、複数の操作領域のうち第１操作領域をＩＴ装備で提供する複数の機能の中で第１機能とマッピングするステップと、カメラ１２０によって撮影された映像に基づいて使用者の指を認識するステップと、使用者の指の位置が第１操作領域に対応すれば、第１機能を実行するステップと、を含む。【選択図】図１
2015056179.tif 000002
【特許請求の範囲】
【請求項１】
使用者が製作した入力インターフェースで複数の操作領域を設定するステップと、
前記複数の操作領域のうち第１操作領域をＩＴ装備で提供する複数の機能の中で第１機能とマッピングするステップと、
カメラによって撮影された映像に基づいて使用者の指を認識するステップと、
前記使用者の指の位置が前記第１操作領域に対応すれば、前記第１機能を実行するステップと、
を含むことを特徴とする注文型インターフェースシステムの操作方法。
【請求項２】
前記複数の操作領域のうち第２操作領域を前記ＩＴ装備で提供する複数の機能の中で第２機能とマッピングするステップと、
前記第２操作領域に対応する前記使用者の手操作が認識されれば、前記第２機能を実行するステップと、
をさらに含むことを特徴とする請求項１に記載の注文型インターフェースシステムの操作方法。
【請求項３】
前記入力インターフェースは、映像、写真、手書き、および特定ハードウェアの３次元形状のいずれか一つであることを特徴とする請求項１に記載の注文型インターフェースシステムの操作方法。
【請求項４】
使用者が製作した入力インターフェースを撮影するカメラと、
前記入力インターフェースで複数の操作領域を設定し、前記複数の操作領域のうち第１操作領域をＩＴ装備で提供する複数の機能の中で第１機能とマッピングする制御部と、
を含み、
前記制御部は、前記カメラによって撮影された映像に基づいて使用者の指を認識し、前記使用者の指の位置が前記第１操作領域に対応すれば、前記第１機能を実行することを特徴とする注文型インターフェースシステム。
【請求項５】
前記制御部は、前記複数の操作領域のうち第２操作領域を前記ＩＴ装備で提供する複数の機能の中で第２機能とマッピングし、前記第２操作領域に対応する前記使用者の手操作が認識されれば、前記第２機能を実行することを特徴とする請求項４に記載の注文型インターフェースシステム。
【請求項６】
前記入力インターフェースは、映像、写真、手書き、および特定ハードウェアの３次元形状のいずれか一つであることを特徴とする請求項４に記載の注文型インターフェースシステム。
【発明の詳細な説明】
【技術分野】
【０００１】
本発明は、注文型インターフェースシステムおよびその操作方法に係り、より詳しくは、使用者が直接インターフェースを製作して、ＩＴ装備とインターフェーシングすることができる注文型インターフェースシステムおよびその操作方法に関する。
【背景技術】
【０００２】
近年、技術が発展するにつれて、各種の情報技術（ｉｎｆｏｒｍａｔｉｏｎ  ｔｅｃｈｎｏｌｏｇｙ、ＩＴ）装備の使用者インターフェースとしてタッチスクリーンなどが使用されている。
しかし、このようなタッチスクリーンなどは、ＩＴ装備の製造会社で設定した画面がそのまま使用者に提供されるため、各使用者に最適化したインターフェースを提供することができない問題がある。
【先行技術文献】
【特許文献】
【０００３】
【特許文献１】特開２００１−０２３０３９号公報
【発明の概要】
【発明が解決しようとする課題】
【０００４】
本発明の目的とするところは、使用者が直接インターフェースを製作して、ＩＴ装備とインターフェーシングすることができる注文型インターフェースシステムおよびその操作方法を提供することである。
【課題を解決するための手段】
【０００５】
本発明の注文型インターフェースシステム及びその操作方法は、使用者が製作した入力インターフェースで複数の操作領域を設定するステップと、
前記複数の操作領域のうち第１操作領域をＩＴ装備で提供する複数の機能の中で第１機能とマッピングするステップと、
カメラによって撮影された映像に基づいて使用者の指を認識するステップと、
前記使用者の指の位置が前記第１操作領域に対応すれば、前記第１機能を実行するステップと、
を含むことを特徴とする。
【０００６】
前記複数の操作領域のうち第２操作領域を前記ＩＴ装備で提供する複数の機能の中で第２機能とマッピングするステップと、
前記第２操作領域に対応する前記使用者の手操作が認識されれば、前記第２機能を実行するステップと、
をさらに含むことを特徴とする。
【０００７】
前記入力インターフェースは、映像、写真、手書き、および特定ハードウェアの３次元形状のいずれか一つであることを特徴とする。
【０００８】
また、本発明は、使用者が製作した入力インターフェースを撮影するカメラと、
前記入力インターフェースで複数の操作領域を設定し、前記複数の操作領域のうち第１操作領域をＩＴ装備で提供する複数の機能の中で第１機能とマッピングする制御部と、
を含み、
前記制御部は、前記カメラによって撮影された映像に基づいて使用者の指を認識し、前記使用者の指の位置が前記第１操作領域に対応すれば、前記第１機能を実行することを特徴とする。
【０００９】
前記制御部は、前記複数の操作領域のうち第２操作領域を前記ＩＴ装備で提供する複数の機能の中で第２機能とマッピングし、前記第２操作領域に対応する前記使用者の手操作が認識されれば、前記第２機能を実行することを特徴とする。
【００１０】
前記入力インターフェースは、映像、写真、手書き、および特定ハードウェアの３次元形状のいずれか一つであることを特徴とする。
【発明の効果】
【００１１】
本発明によれば、注文型インターフェースが車両内部に設置され、運転者が指でインターフェースを指したり手操作すれば、運転者の指または手操作を認識して、操作領域または手操作に該当する機能を実行することができる。この時、本発明の実施例によれば、最適化した入力インターフェース１１０が使用者によって直接構成されることにより、ＩＴ装備１４０との直観的インターフェーシングを実現することができる。また、車両に適用しようとする入力インターフェース１１０を車両に設置する前に試験することができる。
【図面の簡単な説明】
【００１２】
【図１】本発明の実施例に係る注文型インターフェースシステムを示した図面である。
【図２】本発明の実施例に係る注文型インターフェースシステムを実現する方法を示すフローチャートである。
【図３】本発明の実施例に係る注文型インターフェースシステムの操作を示すフローチャートである。
【発明を実施するための形態】
【００１３】
以下、添付の図面を参照して本発明の実施例について、詳しく説明する。しかし、本発明は、様々な異なる形態で実現でき、以下で説明する実施例に限定されない。そして、図面で本発明を明確に説明するために、説明上不必要な部分は省略し、明細書全体にわたって類似の部分については類似の図面符号を付した。
明細書全体において、ある部分がある構成要素を「含む」とすると、これは、特に反対の記載がない限り、他の構成要素を除外するのではなく、他の構成要素をさらに含むことができることを意味する。また、明細書に記載された「〜部」、「〜基」、「モジュール」、「ブロック」等の用語は、少なくとも一つの機能や操作を処理する単位を意味し、これは、ハードウェアやソフトウェア、またはハードウェア及びソフトウェアの結合で具現される。
【００１４】
図１は、本発明の実施例に係る注文型インターフェースシステムを示した図面である。
図１に示す通り、本発明の実施例に係る注文型インターフェースシステム１００は、入力インターフェース１１０、カメラ１２０、そして制御部１３０を含む。
入力インターフェース１１０は、使用者が製作したインターフェースであり、入力インターフェース１１０は、映像または写真１１１であってもよく、ペン等で直接描いた手書き１１２であってもよい。または、入力インターフェース１１０は、特定ハードウェアの３次元形状１１３であり、使用者は、ボタンの操作による立体感が感じられる。
カメラ１２０は、入力インターフェース１１０を撮影して撮影された映像を制御部１３０に出力する。
【００１５】
制御部１３０は、カメラ１２０に連結され、設定されたプログラムによって操作する一つ以上のマイクロプロセッサーで実現されてもよく、前記設定されたプログラムは、本発明の実施例に係るインターフェースシステムの操作方法に含まれた各ステップを行うための一連の命令を含んでもよい。
制御部１３０は、前記撮影された映像に基づいて入力インターフェース１１０を認識する。制御部１３０は、入力インターフェース１１０の領域を区分して複数の操作領域を設定する。ＩＴ装備１４０で提供する多様な機能（例えば、ＡＶＮ装置の音量増加／減少、チャンネル選択など）は、複数の操作領域にマッピングされる。
【００１６】
制御部１３０は、指の位置または手操作を認識する。制御部１３０は、指の位置に対応する操作領域にマッピングされた機能を実行したり、手操作に対応する機能を実行する。
図２は、本発明の実施例に係る注文型インターフェースシステムを実現する方法を示すフローチャートである。
図２に示す通り、使用者が製作した入力インターフェース１１０が車両内の所定の位置に配置される（Ｓ２０１）。制御部１３０は、入力インターフェース１１０で複数の操作領域を設定する（Ｓ２０２）。即ち、制御部１３０は、カメラ１２０を利用して入力インターフェース１１０を認識し、認識された入力インターフェース１１０で複数の操作領域を設定する。
【００１７】
以後、制御部１３０は、ＩＴ装備１４０の特定機能を設定された操作領域にマッピングする（Ｓ２０３）。例えば、使用者が特定ハードウェアの３次元形状１１３を入力インターフェース１１０で製作した場合、指が複数の操作領域のいずれか一つに対応すれば、特定機能のいずれか一つが実行されることができるように、ＩＴ装備１４０の特定機能がハードウェアの３次元形状１１３の複数の操作領域にマッピングされる。
図３は、本発明の実施例に係る注文型インターフェースシステムの操作を示すフローチャートである。
【００１８】
図３に示す通り、使用者の指が入力インターフェース１１０に接近すれば、制御部１３０は、カメラ１２０によって撮影された映像に基づいて使用者の指を認識する（Ｓ３０１）。この時、制御部１３０は、使用者の手操作を認識することもできる。
以後、制御部１３０は、指の位置に対応する操作領域にマッピングされた機能を実行して使用者にフィードバックを提供する（Ｓ３０２）。
本発明の実施例に係る注文型インターフェースシステム１００は、車両内部に設置されて、運転者が指で入力インターフェース１１０を指したり手操作を取れば、運転者の指または手操作を認識して操作領域や手操作に該当する機能を実行することができる。この時、本発明の実施例によると、最適化した入力インターフェース１１０が使用者によって直接構成されることにより、使用者は、ＩＴ装備１４０と直観的にインターフェーシングすることができる。また、車両に適用しようとする入力インターフェース１１０を車両に設置する前に試験することができる。
【００１９】
以上、本発明に関する好ましい実施形態を説明したが、本発明は前記実施形態に限定されるものではなく、本発明の属する技術分野を逸脱しない範囲での全ての変更が含まれる。
【符号の説明】
【００２０】
１１０  入力インターフェース
１１１  写真
１１２  手書き
１１３  ３次元形状
１２０  カメラ
１３０  制御部
１４０  ＩＴ装備
【図１】
2015056179.tif 000003
【図２】
2015056179.tif 000004
【図３】
2015056179.tif 000005